(57)【要約】【課題】様々な照明負荷に対応しながらも、照明負荷が消灯間近であることを事前に人に知らせる機能を有するセンサ装置を提供する。【解決手段】人の在否を検知する人感センサ１９と、人感センサ１９で人体が検知されると所定の動作保持時間の計時を開始し、人感センサ１９で人体が検知される度に、当該動作保持時間の計時をリトリガするタイマ部１１と、タイマ部１１が当該動作保持時間の計時を終了するまで照明負荷Ｌを点灯させ続ける制御回路部７と、制御回路部７により制御されて鳴動する鳴動部１２とを備え、制御回路部７は、タイマ部１１により当該動作保持時間よりも短い所定時間が計時された時に、鳴動部１２を鳴動させる。【選択図】図１
2011154838.tif 000002
【特許請求の範囲】
【請求項１】
人の在否を検知する人感センサと、人感センサで人体が検知されると所定の動作保持時間の計時を開始し、人感センサで人体が検知される度に、当該動作保持時間の計時をリトリガするタイマ部と、タイマ部が当該動作保持時間の計時を終了するまで照明負荷を点灯させ続ける制御回路部と、制御回路部により制御されて鳴動する鳴動部とを備え、制御回路部は、タイマ部により当該動作保持時間よりも短い所定時間が計時された時に、鳴動部を鳴動させることを特徴とするセンサ装置。
【請求項２】
前記人感センサ、前記タイマ部、前記制御回路部および前記鳴動部に電力を供給する電池を備え、前記制御回路部は、電池の電圧値が予め設定された基準電圧値よりも低くなった時に、前記鳴動部を鳴動させることを特徴とする請求項１記載のセンサ装置。
【請求項３】
請求項１または請求項２記載のセンサ装置からなる親機と、人の在否を検知する人感センサおよび人感センサで人体が検知されると親機へ人感センサの検知情報を送出する制御回路部を具備した子機とを備え、親機の前記制御回路部は、親機の前記人感センサもしくは子機の人感センサで人体が検知されると、前記タイマ部の前記動作保持時間の計時をリトリガして、前記タイマ部により前記所定時間が計時された時に、前記鳴動部を鳴動させることを特徴とするセンサシステム。
【請求項４】
前記子機は、前記子機の前記人感センサで人体が検知されると予め設定された前記動作保持時間の計時を開始し、前記子機の前記人感センサで人体が検知される度に、前記動作保持時間の計時をリトリガするタイマ部を備え、前記子機の前記制御回路部は、前記子機のタイマ部により予め設定された前記所定時間が計時された時に、前記親機の前記制御回路部へ前記所定時間が経過したことを通知する通知信号を送出し、前記親機の前記制御回路部は、前記子機から送出される当該通知信号を取得した時に、前記鳴動部を鳴動させることを特徴とする請求項３記載のセンサシステム。
【請求項５】
前記子機は、前記親機の前記制御回路部により制御されて鳴動する鳴動部を備え、前記親機の前記制御回路部は、前記親機の前記タイマ部により前記所定時間が計時された時に、前記子機の前記制御回路部へ前記通知信号を送出し、前記子機の前記制御回路部は、前記親機から送出される前記通知信号を取得した時に、前記子機の鳴動部を鳴動させることを特徴とする請求項３記載のセンサシステム。
【発明の詳細な説明】
【技術分野】
【０００１】
本発明は、照明負荷が消灯間近であることを事前に人に知らせる機能を有するセンサ装置に関するものである。
【背景技術】
【０００２】
従来から、照明負荷を減光点灯させることで、照明負荷が消灯間近であることを事前に人に知らせる機能を有するセンサ装置として、例えば図９に示すように、人体から放射される熱線を検知する熱線センサ１と、周囲の照度を検知する照度センサ２と、商用電源からなる交流電源ＡＣと調光可能な照明負荷Ｌとの直列回路に接続され、照明負荷Ｌを点灯、消灯および調光点灯させるトライアック５と、トライアック５を位相制御するトライアック制御回路部６と、熱線センサ１および照度センサ２それぞれの検知結果に基づいて、トライアック制御回路部６を制御する制御回路部７と、トライアック制御回路部６、制御回路部７などへ駆動電源を供給する電源部９とを備えたものが提案されている（例えば、特許文献１参照）。なお、図９の例では、センサ装置が親機を構成しており、熱線センサ（図示せず）および照度センサ（図示せず）を具備した子機Ｍが親機に接続されている。
【０００３】
制御回路部７は、熱線センサ１で人体から放射される熱線が検知された時に、照明負荷Ｌを点灯させる点灯モードとして、照明負荷Ｌを全点灯させる通常モードおよび照明負荷Ｌを調光点灯させる調光モードを有する。
【０００４】
電源部９は、交流電源ＡＣからの交流電圧を直流電圧に変換する電源回路部９１、電源回路部９１で変換された上記直流電圧を変圧し、トライアック制御回路部６などへ駆動電源を供給する１８〜２４Ｖ電源回路部９２、１８〜２４Ｖ電源回路部９２で変圧された上記直流電圧を用いて、制御回路部７へ駆動電源を供給する制御回路用電源回路部９３を備えている。
【０００５】
また、上述のセンサ装置は、交流電源ＡＣの電圧波形のゼロクロス点を検出した時に、トライアック制御回路６を制御させるためのゼロクロス信号を制御回路部７へ送出するゼロクロス回路部４と、熱線センサ１によって熱線が検知されなくなってから照明負荷Ｌを消灯させるまでの照明負荷Ｌの動作保持時間（点灯維持時間）を設定する動作保持時間設定部３１および制御回路部７が照度センサ２で検知される照度に基づいて、周囲の明暗を判別するための基準照度を設定する照度センサ設定部３０を具備した設定部３と、子機Ｍの上記熱線センサおよび上記照度センサそれぞれの検知結果が入力された時に、制御回路部７へ上記検知結果を送出する子機回路部８とを備えている。
【０００６】
設定部３は、上記点灯モードを選択すると共に上記調光モード時の調光時間を設定する調光時間設定部３２、上記調光モード時の照明負荷Ｌの調光レベルを設定する調光レベル設定部３３、照明負荷Ｌの点灯または消灯を手動で切り替えるための手動スイッチ３４を備えている。
【０００７】
以下、上述のセンサ装置の動作の一例を説明する。
【０００８】
上記点灯モードとして上記通常モードが選択され、且つ照明負荷Ｌが消灯している状態において、制御回路部７は、照度センサ２で検知された照度が上記基準照度以下の照度であり（周囲が暗い）、且つ熱線センサ１で人体から放射される熱線が検知されると、ゼロクロス回路部４から送出される上記ゼロクロス信号、熱線センサ１および照度センサ２それぞれの検知結果に基づいて、トライアック制御回路部６を制御することで、照明負荷Ｌを全点灯させる。
【０００９】
その後、制御回路部７は、設定部３の動作保持時間設定部３１で予め設定された上記動作保持時間（例えば、５分）の計時が終了する６秒前に、照明負荷Ｌの調光レベルを全点灯の５０％にして調光点灯（減光点灯）させ、照明負荷Ｌが消灯間近であることを事前に人に知らせる。
【００１０】
調光点灯を開始してから６秒後、制御回路部７は、トライアック制御回路部６を制御することで、照明負荷Ｌを消灯させる。
【００１１】
また、上記点灯モードとして上記調光モードが選択され、且つ照明負荷Ｌが消灯している状態において、制御回路部７は、照度センサ２で検知された照度が上記基準照度以下の照度であり（周囲が暗い）、且つ熱線センサ１で人体から放射される熱線が検知されると、ゼロクロス回路部４から送出される上記ゼロクロス信号、熱線センサ１および照度センサ２それぞれの検知結果に基づいて、トライアック制御回路部６を制御することで、照明負荷Ｌを調光点灯させる。
【００１２】
その後、制御回路部７は、上記動作保持時間の計時が終了する６秒前に、照明負荷Ｌの調光レベルを調光開始時の調光レベルの５０％の調光レベルで調光点灯（減光点灯）させ、照明負荷Ｌが消灯間近であることを事前に人に知らせる。
【００１３】
減光点灯を開始してから６秒後、制御回路部７は、トライアック制御回路部６を制御することで、照明負荷Ｌを消灯させる。なお、上述の動作は、制御回路部７が子機Ｍの上記熱線センサおよび上記照度センサそれぞれの検知結果を取得した場合も同様である。
【先行技術文献】
【特許文献】
【００１４】
【特許文献１】特開２００８−２７０１０３号公報
【発明の概要】
【発明が解決しようとする課題】
【００１５】
ところで、上述のセンサ装置の制御回路部７は、上記動作保持時間の計時が終了する６秒前に、照明負荷Ｌを減光点灯させることで、照明負荷Ｌが消灯間近であることを事前に人に知らせている。
【００１６】
しかしながら、上述のセンサ装置は、調光点灯が可能な照明負荷（例えば、白熱灯など）の場合にしか、照明負荷Ｌが消灯間近であることを知らせることができない。
【００１７】
本発明は上記の事由に鑑みて為されえたものであり、その目的は、様々な照明負荷に対応しながらも、照明負荷が消灯間近であることを事前に人に知らせる機能を有するセンサ装置を提供することにある。
【課題を解決するための手段】
【００１８】
請求項１の発明は、人の在否を検知する人感センサと、人感センサで人体が検知されると所定の動作保持時間の計時を開始し、人感センサで人体が検知される度に、当該動作保持時間の計時をリトリガするタイマ部と、タイマ部が当該動作保持時間の計時を終了するまで照明負荷を点灯させ続ける制御回路部と、制御回路部により制御されて鳴動する鳴動部とを備え、制御回路部は、タイマ部により当該動作保持時間よりも短い所定時間が計時された時に、鳴動部を鳴動させることを特徴とする。
【００１９】
この発明によれば、制御回路部は、タイマ部により前記所定時間が計時された時に、鳴動部を鳴動させることによって、様々な照明負荷に対応しながらも、照明負荷が消灯間近であることを事前に人に知らせることができる。
【００２０】
請求項２の発明は、前記人感センサ、前記タイマ部、前記制御回路部および前記鳴動部に電力を供給する電池を備え、前記制御回路部は、電池の電圧値が予め設定された基準電圧値よりも低くなった時に、前記鳴動部を鳴動させることを特徴とする。
【００２１】
この発明によれば、前記制御回路部は、電池の電圧値が前記基準電圧値よりも低くなった時に、前記鳴動部を鳴動させることによって、前記鳴動部を、電池切れを知らせるための鳴動部として兼用することができる。
【００２２】
請求項３の発明は、請求項１または請求項２記載のセンサ装置からなる親機と、人の在否を検知する人感センサおよび人感センサで人体が検知されると親機へ人感センサの検知情報を送出する制御回路部を具備した子機とを備え、親機の前記制御回路部は、親機の前記人感センサもしくは子機の人感センサで人体が検知されると、前記タイマ部の前記動作保持時間の計時をリトリガして、前記タイマ部により前記所定時間が計時された時に、前記鳴動部を鳴動させることを特徴とする。
【００２３】
この発明によれば、子機の人感センサで人体が検知されると、子機は親機へ人感センサの前記検知情報を送出し、親機は、子機から送出された人感センサの前記検知情報を取得すると、前記タイマ部の前記動作保持時間の計時をリトリガして、前記タイマ部により前記所定時間が計時された時に、前記鳴動部を鳴動させることによって、様々な照明負荷に対応しながらも、親機から照明負荷が消灯間近であることを事前に人に知らせることができる。
【００２４】
請求項４の発明は、前記子機は、前記子機の前記人感センサで人体が検知されると予め設定された前記動作保持時間の計時を開始し、前記子機の前記人感センサで人体が検知される度に、前記動作保持時間の計時をリトリガするタイマ部を備え、前記子機の前記制御回路部は、前記子機のタイマ部により予め設定された前記所定時間が計時された時に、前記親機の前記制御回路部へ前記所定時間が経過したことを通知する通知信号を送出し、前記親機の前記制御回路部は、前記子機から送出される当該通知信号を取得した時に、前記鳴動部を鳴動させることを特徴とする。
【００２５】
この発明によれば、前記子機の前記制御回路部は、前記子機のタイマ部により前記所定時間が計時された時に、前記親機の前記制御回路部へ前記通知信号を送出し、前記親機の前記制御回路部は、前記子機の前記制御回路部から送出される前記通知信号を取得した時に、前記鳴動部を鳴動させることによって、様々な照明負荷に対応しながらも、前記親機から照明負荷が消灯間近であることを事前に人に知らせることができる。
【００２６】
請求項５の発明は、前記子機は、前記親機の前記制御回路部により制御されて鳴動する鳴動部を備え、前記親機の前記制御回路部は、前記親機の前記タイマ部により前記所定時間が計時された時に、前記子機の前記制御回路部へ前記通知信号を送出し、前記子機の前記制御回路部は、前記親機から送出される前記通知信号を取得した時に、前記子機の鳴動部を鳴動させることを特徴とする。
【００２７】
この発明によれば、前記親機の前記制御回路部は、前記親機の前記タイマ部により前記所定時間が計時された時に、前記子機の前記制御回路部へ前記通知信号を送出し、前記子機の前記制御回路部は、前記親機の前記制御回路部から送出される前記通知信号を取得した時に、前記子機の鳴動部を鳴動させることによって、様々な照明負荷に対応しながらも、前記子機から照明負荷が消灯間近であることを事前に人に知らせることができる。
【発明の効果】
【００２８】
請求項１の発明では、制御回路部は、前記所定時間に鳴動部を鳴動させることにより、様々な照明負荷に対応しながらも、照明負荷が消灯間近であることを事前に人に知らせることができるという効果がある。
【００２９】
請求項３の発明では、子機の人感センサで人体が検知されると、子機は親機へ人感センサの検知情報を送出し、親機は前記検知情報を取得すると、前記タイマ部の前記動作保持時間の計時をリトリガして、前記タイマ部により前記所定時間が計時された時に、前記鳴動部を鳴動させることにより、様々な照明負荷に対応しながらも、親機から照明負荷が消灯間近であることを事前に人に知らせることができるという効果がある。
【図面の簡単な説明】
【００３０】
【図１】実施形態１のセンサ装置を示すブロック図である。
【図２】同上のセンサ装置の動作説明図である。
【図３】実施形態２のセンサシステムのシステム構成図である。
【図４】同上のセンサシステムの親機および子機を示すブロック図である。
【図５】同上のセンサシステムのスイッチ装置を示すブロック図である。
【図６】同上のセンサシステムの動作説明図である。
【図７】同上の他のセンサシステムの親機および子機を示すブロック図である。
【図８】同上の他のセンサシステムの動作説明図である。
【図９】従来例を示すセンサ装置のブロック図である。
【発明を実施するための形態】
【００３１】
（実施形態１）
本実施形態のセンサ装置は、図１に示すように、検知エリア内における人の在否を検知する人感センサ１９と、人感センサ１９で人体が検知されると人感センサ１９によって人体が検知されなくなってから照明負荷Ｌを消灯させるまでの照明負荷Ｌの動作保持時間（例えば、５分）の計時を開始し、人感センサ１９で人体が検知される度に、上記動作保持時間の計時をリトリガするタイマ部１１と、タイマ部１１が上記動作保持時間の計時を終了するまで照明負荷Ｌを点灯させ続ける制御回路部７と、制御回路部７により制御されて鳴動するブザーなどからなる鳴動部１２と、人感センサ１９、タイマ部１１、制御回路部７および鳴動部１２に電力を供給する電源部９とを備えている。なお、制御回路部７は、マイクロコンピュータを用いたものであるが、例えばディスクリート部品で回路を構成してもよい。また、上記動作保持時間は、制御回路部７に予め設定されているが、図９に示した従来例と同様の設定部３により設定できるようにしてもよい。さらに、人感センサ１９には、周囲の照度を検知する照度センサ（図示せず）を備えている。
【００３２】
電源部９は、商用電源よりなる交流電源ＡＣからの交流電圧を直流電圧に変換する電源回路部９１、電源回路部９１で変換された上記直流電圧を１８〜２４Ｖに変圧する１８〜２４Ｖ電源回路部９２、１８〜２４Ｖ電源回路部９２で変圧された上記直流電圧を用いて、制御回路部７へ駆動電源を供給する制御回路用電源回路部９３を備えている。
【００３３】
また、上述のセンサ装置は、交流電源ＡＣと照明負荷Ｌとの直列回路に接続され、照明負荷Ｌを点灯または消灯させるトライアック５と、制御回路部７から送出される制御信号に基づいてトライアック５を制御するトライアック制御回路部６と、交流電源ＡＣの電圧波形のゼロクロス点を検出した時に、ゼロクロス信号を制御回路部７へ送出するゼロクロス回路部４とを備えている。
【００３４】
照明負荷Ｌとしては、白熱灯などの調光できるものと、蛍光灯やＬＥＤランプなどの調光できないものとの２種類のいずれも用いることができる。ここにおいて、トライアック制御回路部６は、照明負荷Ｌが調光できるものの場合、トライアック５を位相制御し、照明負荷Ｌが調光できないものの場合、トライアック５を単にオン・オフする。なお、制御回路部７には、照明負荷Ｌが調光できるものか否かを認識させるための設定部が設けられている。
【００３５】
制御回路部７は、人感センサ１９で人体が検知されると、ゼロクロス回路部４から送出される上記ゼロクロス信号に基づいて、上記制御信号をトライアック制御回路６へ送出する。
【００３６】
トライアック制御回路６は、制御回路部７から送出された上記制御信号を取得すると、トライアック５をオンすることで、照明負荷Ｌを点灯させる。
【００３７】
ここで、制御回路部７は、タイマ部１１が上記動作保持時間よりも短い所定時間（例えば、上記動作保持時間の計時が終了する６秒前）を計時した時に、鳴動部１２を鳴動させる。なお、上記所定時間は、制御回路部７に予め設定されている。
【００３８】
以下、本実施形態のセンサ装置の動作を、図２を参照しながら説明する。
【００３９】
例えば、照明負荷Ｌに調光できるもの（例えば、白熱灯など）を用い、且つ照明負荷Ｌが消灯している状態において、制御回路部７は、人感センサ１９で人体が検知されると、タイマ部１１の上記動作保持時間の計時を開始させ、且つタイマ部１１が上記動作保持時間を計時している間、ゼロクロス回路部４から送出される上記ゼロクロス信号に基づいて、上記制御信号をトライアック制御回路部６へ送出する。トライアック制御回路部６は、制御回路部７から送出された上記制御信号を取得すると、トライアック５を位相制御することで、照明負荷Ｌを点灯させる（図２（ａ）において、ｔ０の時点）。なお、タイマ部１１が上記動作保持時間を計時している途中に人感センサ１９で人体が検知されると、タイマ部１１は、上記動作保持時間の計時をリトリガする。
【００４０】
その後、制御回路部７は、タイマ部１１が上記所定時間を計時した時に、照明負荷Ｌを全点灯の５０％にして調光点灯（減光点灯）させ、鳴動部１２を鳴動させる（図２（ｂ）において、ｔ１の時点）。したがって、照明負荷Ｌが消灯間近であることを事前に人に知らせることができる。
【００４１】
さらに、制御回路部７は、タイマ部１１が上記動作保持時間の計時を終了すると、上記制御信号をトライアック制御回路部６へ送出することをやめる。トライアック制御回路部６は、制御回路部７から上記制御信号が送出されないので、トライアック５を位相制御することで、照明負荷Ｌを消灯させる（図２（ａ）において、ｔ２の時点）。
【００４２】
また、照明負荷Ｌに調光できないもの（例えば、蛍光灯やＬＥＤランプなど）を用い、且つ照明負荷Ｌが消灯している状態において、制御回路部７は、人感センサ１９で人体が検知されると、タイマ部１１の上記動作保持時間の計時を開始させ、且つタイマ部１１が上記動作保持時間を計時している間、ゼロクロス回路部４から送出される上記ゼロクロス信号に基づいて、上記制御信号をトライアック制御回路部６へ送出する。トライアック制御回路部６は、制御回路部７から送出された上記制御信号を取得すると、トライアック５をオンすることで、照明負荷Ｌを点灯させる（図２（ｂ）において、ｔ０の時点）。なお、タイマ部１１が上記動作保持時間を計時している途中に人感センサ１９で人体が検知されると、タイマ部１１は、上記動作保持時間の計時をリトリガする。
【００４３】
その後、制御回路部７は、タイマ部１１が上記所定時間を計時した時に、鳴動部１２を鳴動させる（図２（ｂ）において、ｔ１の時点）。したがって、照明負荷Ｌが消灯間近であることを事前に人に知らせることができる。
【００４４】
さらに、制御回路部７は、タイマ部１１が上記動作保持時間の計時を終了すると、上記制御信号をトライアック制御回路部６へ送出することをやめる。トライアック制御回路部６は、制御回路部７から上記制御信号が送出されないので、トライアック５をオフすることで、照明負荷Ｌを消灯させる（図２（ｂ）において、ｔ２の時点）。
【００４５】
以上説明した本実施形態のセンサ装置は、制御回路部７は、タイマ部１１により上記所定時間が計時された時に、鳴動部１２を鳴動させることによって、様々な照明負荷Ｌに対応しながらも、照明負荷Ｌが消灯間近であることを事前に人に知らせることができる。
【００４６】
また、本実施形態のセンサ装置の他の構成例として、制御回路用電源回路部９３に電池１７を用いることによって、制御回路用電源回路部９３を１８〜２４Ｖ電源回路部９２に接続する配線をなくすことができる。
【００４７】
さらに、上述のセンサ装置の制御回路部７は、電池１７の電池切れを判別するための基準電圧値よりも低くなった時に、鳴動部１２を鳴動させることによって、電池切れが近いことを知らせるための鳴動部と鳴動部１２を共用することができる。なお、消灯間近を知らせるための鳴動部の音と電池切れを知らせるための鳴動部の音は異なり、例えば、消灯間近を知らせる場合は鳴動部１２を１回だけ鳴動させ、電池切れが近いことを知らせる場合は鳴動部１２を２回だけ鳴動させる。また、上記基準電圧値は、制御回路部７に予め設定されている。
【００４８】
以上説明した本実施形態のセンサ装置は、制御回路部７は、電池１７の電圧値が上記基準電圧値よりも低くなった時に、鳴動部１２を鳴動させることによって、鳴動部１２を、電池切れを知らせるための鳴動部として兼用することができる。
【００４９】
（実施形態２）
本実施形態のセンサシステムは、図３に示すように、人の在否を検知する人感センサ（図示せず）および電波を媒体としてワイヤレス信号を送信する機能を有する親機（センサ親機）Ａ１と、人の在否を検知する人感センサ（図示せず）および上記人感センサで人体が検知されると親機Ａ１へ上記人感センサの検知結果に基づいた検知情報を送出する制御回路部（図示せず）を具備した子機（センサ子機）Ｍ１と、交流電源ＡＣと照明負荷Ｌに電線を介して直列接続される負荷制御部１０（図５参照）を有し、親機Ａ１から送信される上記ワイヤレス信号を受信すると照明負荷Ｌを点灯または消灯させるスイッチ装置Ｓとで構成されている。なお、親機Ａ１および子機Ｍ１は建物内の天井などに設置され、スイッチ装置Ｓは壁面などに埋め込み配置される。
【００５０】
親機Ａ１は、図４に示すように、検知エリア内における人の在否を検知する人感センサ１９と、人感センサ１９で人体が検知されると上記動作保持時間の計時を開始し、人感センサ１９で人体が検知される度に、上記動作保持時間の計時をリトリガするタイマ部１１と、タイマ部１１が上記動作保持時間の計時を終了するまで照明負荷Ｌを点灯させ続ける制御回路部７と、制御回路部７から送出される制御信号を増幅する増幅回路部２０と、増幅回路部２０で増幅される上記制御信号に基づいたワイヤレス信号を電波を媒体として送信するワイヤレス信号送信部２１と、タイマ部１１の上記動作保持時間の計時に基づいて鳴動する鳴動部１２と、人感センサ１９、タイマ部１１、制御回路部７、増幅回路部２０、ワイヤレス信号送信部２１および鳴動部１２に電力を供給する電池１７とを備えている。なお、上記動作保持時間は、制御回路部７に予め設定されている。また、制御回路部７は、マイクロコンピュータを用いたものであるが、例えばディスクリート部品で回路を構成してもよい。
【００５１】
制御回路部７は、人感センサ１９で人体が検知されると、タイマ部１１の上記動作保持時間の計時を開始させ、且つタイマ部１１が上記動作保持時間を計時している間、上記制御信号を増幅回路部２０へ送出する。制御回路部７から送出された上記制御信号は、増幅回路部２０で増幅された後に、ワイヤレス信号送信部２１に送出される。
【００５２】
ワイヤレス信号送信部２１は、増幅回路部２０で増幅された上記制御信号に基づいたワイヤレス信号をスイッチ装置Ｓ（図３参照）に送信する。
【００５３】
タイマ部１１は、上記動作保持時間を計時している途中に人感センサ１９で人体が検知されると、上記動作保持時間の計時をリトリガする。
【００５４】
ここで、制御回路部７は、タイマ部１１が上記所定時間を計時した時に、鳴動部１２を鳴動させる。なお、上記所定時間は、制御回路部７に予め設定されている。
【００５５】
子機Ｍ１は、図４に示すように、検知エリア内における人の在否を検知する人感センサ１４と、人感センサ１４で人体が検知されると親機Ａ１の制御回路部７へ人感センサ１４の検知結果に基づいた検知情報を送出する制御回路部１５と、人感センサ１４および制御回路部１５に電力を供給する電池２８とを備えている。なお、制御回路部１５は、マイクロコンピュータを用いたものであるが、例えばディスクリート部品で回路を構成してもよい。
【００５６】
また、上述の親機Ａ１は、子機Ｍ１の制御回路部１５から送出される子機Ｍ１の人感センサ１４の上記検知情報などを親機Ａ１の制御回路部７へ送出する子機回路部８を備えている。なお、子機回路部８は、子機Ｍ１の制御回路部１５と電線（有線）で接続されているが、電波を媒体とする無線で接続されてもよい。
【００５７】
ここで、親機Ａ１の制御回路部７は、子機Ｍ１の制御回路部１５から送出された人感センサ１４の上記検知情報を取得すると、タイマ部１１の上記動作保持時間の計時をリトリガして、タイマ部１１が上記所定時間を計時した時に、鳴動部１２を鳴動させる。
【００５８】
スイッチ装置Ｓは、図５に示すように、親機Ａ１から送信される上記ワイヤレス信号を受信するワイヤレス信号受信部２２と、ワイヤレス信号受信部２２で受信された上記ワイヤレス信号に応じた受信信号を増幅する増幅回路部２３と、交流電流ＡＣから照明負荷Ｌへの給電路を開閉するスイッチング素子（例えば、トライアックなど）を有する負荷制御部１０と、増幅回路部２３で増幅された上記受信信号に基づいて負荷制御部１０のスイッチング素子をスイッチング制御する制御回路部２４と、ワイヤレス信号受信部２２、増幅回路部２３、負荷制御部１０および制御回路部２４に電力を供給する電源回路部２５と、照明負荷Ｌを強制的に点灯または消灯させるための押釦スイッチ（図示せず）を有するスイッチ入力部２６とを備え、負荷制御部１０は交流電源ＡＣと照明負荷Ｌに電線を介して直列接続されている。なお、制御回路部２４はマイクロコンピュータを用いたものであるが、例えばディスクリート部品で回路を構成してもよい。
【００５９】
照明負荷Ｌは、白熱灯などの調光できるものと、蛍光灯やＬＥＤランプなどの調光できないものとの２種類がある。ここにおいて、負荷制御部１０は、照明負荷Ｌが調光できるものの場合、負荷制御部１０のスイッチング素子を位相制御し、照明負荷Ｌが調光できないものの場合、負荷制御部１０のスイッチング素子を単にオン・オフする。なお、制御回路部２４には、照明負荷Ｌが調光できるものか否かを認識させるための設定部が設けられている。
【００６０】
スイッチ装置Ｓは、親機Ａ１のワイヤレス信号送信部２１から送信された上記ワイヤレス信号をワイヤレス信号受信部２２で受信する。ワイヤレス信号受信部２２で受信された上記ワイヤレス信号に応じた受信信号は、増幅回路部２３で増幅され、増幅回路部２３で増幅された上記受信信号は、制御回路部２４に入力される。
【００６１】
制御回路部２４は、増幅回路部２３で増幅された上記受信信号を取得すると、負荷制御部１０のスイッチング素子をオンさせることで、照明負荷Ｌを点灯させる。
【００６２】
以下、本実施形態のセンサシステムの動作を、図６を参照しながら説明する。
【００６３】
照明負荷Ｌが消灯している状態において、親機Ａ１の制御回路部７は、親機Ａ１の人感センサ１９で人体が検知されると、タイマ部１１に上記動作保持時間を計時させ、且つタイマ部１１が上記動作保持時間を計時している間、ワイヤレス信号送信部２１から上記制御信号に基づいた上記ワイヤレス信号をスイッチ装置Ｓに送信させる。
【００６４】
スイッチ装置Ｓの制御回路部２４は、ワイヤレス信号送信部２１から送信された上記ワイヤレス信号に応じた受信信号を受信すると、負荷制御部１０のスイッチング素子をオンさせることで、照明負荷Ｌを点灯させる（図６（ｃ）において、ｔ０の時点）。なお、タイマ部１１は、親機Ａ１の人感センサ１９で人体が検知されなくなってから上記動作保持時間の計時を開始する（図６（ａ）において、ｔ１の時点）。
【００６５】
ここで、子機Ｍ１の制御回路部１５は、タイマ部１１が上記動作保持時間を計時している途中に、子機Ｍ１の人感センサ１４で人体が検知されると（図６（ｂ）において、ｔ２の時点）、親機Ａ１の制御回路部７へ子機Ｍ１の人感センサ１４の上記検知情報を送出する。
【００６６】
親機Ａ１の制御回路部７は、子機Ｍ１の制御回路部１５から送出された子機Ｍ１の人感センサ１４の上記検知情報を取得すると、タイマ部１１の上記動作保持時間の計時をリトリガする（図６（ｂ）において、ｔ３の時点）。
【００６７】
その後、親機Ａ１の制御回路部７は、タイマ部１１が上記所定時間（図５の例では、上記動作保持時間の計時が終了する６秒前）を計時した時に、鳴動部１２を鳴動させる（図６（ｂ）において、ｔ４の時点）。したがって、照明負荷Ｌが消灯間近であることを事前に人に知らせることができる。
【００６８】
さらに、親機Ａ１の制御回路部７は、タイマ部１１が上記動作保持時間の計時を終了すると、ワイヤレス信号送信部２１から上記ワイヤレス信号をスイッチ装置Ｓに送信するのをやめる。そして、スイッチ装置Ｓの制御回路部２４は、親機Ａ１から上記制御信号が送信されないので、負荷制御部１０のスイッチング素子をオフさせることで、照明負荷Ｌを消灯させる（図６（ｃ）において、ｔ５の時点）。
【００６９】
以上説明した本実施形態のセンサシステムは、子機Ｍ１の人感センサ１４で人体が検知されると、子機Ｍ１は親機Ａ１へ人感センサ１４の上記検知情報を送出し、親機Ａ１は、子機Ｍ１から送出された人感センサ１４の上記検知情報を取得すると、タイマ部１１の上記動作保持時間の計時をリトリガして、タイマ部１１が上記所定時間を計時した時に、鳴動部１２を鳴動させることによって、子機Ｍ１に鳴動部がなくても親機Ａ１から照明負荷Ｌが消灯間近であることを事前に人に知らせることができる。
【００７０】
また、上述のセンサシステムの他の構成例として、例えば子機Ｍ１は、子機Ｍ１の人感センサ１４で人体が検知されると照明負荷Ｌの上記動作保持時間の計時を開始し、子機Ｍ１の人感センサ１４で人体が検知される度に、上記動作保持時間の計時をリトリガするタイマ部（図示せず）を備え、子機Ｍ１の制御回路部１５は、子機Ｍ１の上記タイマ部が上記所定時間を計時した時に、親機Ａ１の制御回路部７へ上記所定時間を経過したことを通知する通知信号を送出する。なお、上記動作保持時間および上記所定時間は、制御回路部１５に予め設定されている。
【００７１】
親機Ａ１の制御回路部７は、子機Ｍ１の制御回路部１５から送出された上記通知信号を取得した時、鳴動部１２を鳴動させる。
【００７２】
以上説明した本実施形態のセンサシステムは、子機Ｍ１の制御回路部１５は、子機Ｍ１の上記タイマ部が上記所定時間を計時した時に、親機Ａ１の制御回路部７へ上記通知信号を送出し、親機Ａ１の制御回路部７は、子機Ｍ１の制御回路部１５から送出される上記通知信号を取得した時に、鳴動部１２を鳴動させることによって、子機Ｍ１に鳴動部がなくても親機Ａ１から照明負荷Ｌが消灯間近であることを事前に人に知らせることができる。
【００７３】
また、上述のセンサシステムの別の構成例として、例えば子機Ｍ２から照明負荷Ｌが消灯間近であることを事前に人に知らせる場合は、図７に示すように、子機Ｍ２は、検知エリア内における人の在否を検知する人感センサ１４と、人感センサ１４で人体が検知されると親機Ａ１の制御回路部７へ人感センサ１４の検知情報を送出する制御回路部１５と、親機Ａ１のタイマ部１１が上記所定時間を計時した時に鳴動する鳴動部２７と、人感センサ１４、制御回路部１５および鳴動部２７に電力を供給する電池２８とを備えている。なお、親機Ａ１およびスイッチ装置Ｓの構成要素については、上述のセンサシステムと同様である。また、子機Ｍ２の制御回路部１５は、子機回路部８と電線（有線）で接続されているが、電波を媒体とする無線で接続されてもよい。
【００７４】
親機Ａ１の制御回路部７は、親機Ａ１のタイマ部１１が上記所定時間を計時した時に、子機Ｍ２の制御回路部１５へ上記通知信号を送出する。
【００７５】
子機Ｍ２の制御回路部１５は、親機Ａ１の制御回路部７から送出される上記通知信号を取得した時に、子機Ｍ２の鳴動部２７を鳴動させる。
【００７６】
以下、上述のセンサシステムの別の構成例の動作を、図８を参照しながら説明する。
【００７７】
照明負荷Ｌが消灯している状態において、親機Ａ１の制御回路部７は、親機Ａ１の人感センサ１９で人体が検知されると、親機Ａ１のタイマ部１１に上記動作保持時間を計時させ、且つタイマ部１１が上記動作保持時間を計時している間、ワイヤレス信号送信部２１から上記制御信号に基づいた上記ワイヤレス信号を送出する。
【００７８】
スイッチ装置Ｓの制御回路部２４は、ワイヤレス信号送信部２１から送信される上記ワイヤレス信号に応じた上記受信信号を受信すると、負荷制御部１０のスイッチング素子をオンさせることで、照明負荷Ｌを点灯させる（図８（ｃ）において、ｔ０の時点）。なお、親機Ａ１のタイマ部１１は、親機Ａ１の人感センサ１９で人体が検知されなくなってから上記動作保持時間の計時を開始する（図８（ａ）において、ｔ１の時点）。
【００７９】
ここで、子機Ｍ２の制御回路部１５は、親機Ａ１のタイマ部１１が上記動作保持時間を計時している途中に、子機Ｍ２の人感センサ１４で人体が検知されると（図８（ｂ）において、ｔ２の時点）、親機Ａ１の制御回路部７に人感センサ１４の上記検知情報を送出する。
【００８０】
親機Ａ１の制御回路部７は、子機Ｍ２の制御回路部１５から送出される人感センサ１４の上記検知情報を取得すると、親機Ａ１のタイマ部１１の上記動作保持時間の計時をリトリガする（図８（ａ）において、ｔ３の時点）。
【００８１】
その後、親機Ａ１の制御回路部７は、親機Ａ１のタイマ部１１が上記所定時間（図８の例では、上記動作保持時間の計時が終了する６秒前）を計時した時に、子機Ｍ２の制御回路部１５へ上記通知信号を送出する。そして、子機Ｍ２の制御回路部１５は、親機Ａ１の制御回路部７から送出される上記通知信号を取得した時に、子機Ｍ２の鳴動部２７を鳴動させる（図８（ｂ）において、ｔ４の時点）。したがって、子機Ｍ２から照明負荷Ｌが消灯間近であることを事前に人に知らせることができる。
【００８２】
さらに、親機Ａ１の制御回路部７は、親機Ａ１のタイマ部１１が上記動作保持時間の計時を終了すると、負荷制御部１０のスイッチング素子をオフさせることで、照明負荷Ｌを消灯させる（図８（ｃ）において、ｔ５の時点）。
【００８３】
以上説明した本実施形態のセンサシステムは、親機Ａ１の制御回路部７は、親機Ａ１のタイマ部１１が上記所定時間を計時した時に、子機Ｍ２の制御回路部１５へ上記通知信号を送出し、子機Ｍ２の制御回路部１５は、親機Ａ１の制御回路部７から送出される上記通知信号を取得した時に、子機Ｍ１の鳴動部２７を鳴動させることによって、子機Ｍ２から照明負荷Ｌが消灯間近であることを事前に人に知らせることができる。
【符号の説明】
【００８４】
４  ゼロクロス回路部
５  トライアック
６  トライアック制御回路部
７、１５  制御回路部
９  電源部
９１  電源回路部
９２  １８〜２４Ｖ電源回路部
９３  制御回路用電源回路部
１１  タイマ部
１２、２７  鳴動部
１４、１９  人感センサ
１７、２８  電池
Ａ１  親機
ＡＣ  交流電源
Ｌ  照明負荷
Ｍ１、Ｍ２  子機
【図１】
2011154838.tif 000003
【図２】
2011154838.tif 000004
【図３】
2011154838.tif 000005
【図４】
2011154838.tif 000006
【図５】
2011154838.tif 000007
【図６】
2011154838.tif 000008
【図７】
2011154838.tif 000009
【図８】
2011154838.tif 000010
【図９】
2011154838.tif 000011